(57)【要約】【課題】ジュウタンマットの粉塵や汚れを効率良く除去し、かつ、コンパクトなジュウタンマット洗浄機を提供すること目的とする。【解決手段】植毛側を下面としたジュウタンマットＭを引き込む上下引き込みローラ３，４と、ジュウタンマットＭの上下面に当接する上下清掃回転体５，６と、ジュウタンマットＭの下面に当接する拭き取り用吸水ローラ７と、を備える。上下清掃回転体５，６のうちの少なくとも下清掃回転体６が、軸心廻りに回転する軸部材22と、軸部材22に取着されたブラシ１と、ブラシ１が取着された軸部材22と同一の軸部材22に軸部材22と平行となるよう配設された打撃棒２と、を有する。【選択図】  図２
2005125284.tif 000002
【特許請求の範囲】
【請求項１】
軸心（Ｌ）廻りに回転する軸部材（22）に取着されジュウタンマット（Ｍ）に当接するブラシ（１）と、該ブラシ（１）が取着された軸部材（22）と同一の該軸部材（22）に該軸部材（22）と平行となるよう配設され該ジュウタンマット（Ｍ）に当接する打撃棒（２）と、を有することを特徴とするジュウタンマット洗浄機。
【請求項２】
上記打撃棒（２）は、上記ブラシ（１）よりも３０°〜５５°の角度（θ）だけ回転方向（Ｒ）後方側位置に配設されている請求項１記載のジュウタンマット洗浄機。
【請求項３】
軸心（Ｌ）廻りに回転する軸部材（22）に取着されジュウタンマット（Ｍ）に当接するブラシ（１）と、該ブラシ（１）が取着された軸部材（22）と同一の該軸部材（22）に該ブラシ（１）よりも所定角度（θ′）だけ回転方向（Ｒ）後方側位置に配設され該ジュウタンマット（Ｍ）の不要糸が該ブラシ（１）の基端部（45）側へ巻き込まれるのを防止する帯板状の糸巻込防止部材（44）と、を有することを特徴とするジュウタンマット洗浄機。
【請求項４】
植毛側を下面としたジュウタンマット（Ｍ）を引き込む上下引き込みローラ（３）（４）と、該ジュウタンマット（Ｍ）の上下面に当接する上下清掃回転体（５）（６）と、該ジュウタンマット（Ｍ）の下面に当接する拭き取り用吸水ローラ（７）と、を備え、上記上下清掃回転体（５）（６）のうちの少なくとも下清掃回転体（６）が、軸心（Ｌ）廻りに回転する軸部材（22）と、該軸部材（22）に取着されたブラシ（１）と、該ブラシ（１）が取着された軸部材（22）と同一の該軸部材（22）に該軸部材（22）と平行となるよう配設された打撃棒（２）と、を有することを特徴とするジュウタンマット洗浄機。
【請求項５】
上記上下引き込みローラ（３）（４）と、上記上下清掃回転体（５）（６）と、上記拭き取り用吸水ローラ（７）とは、上記ジュウタンマット（Ｍ）の入口部（９）から出口部（10）に向かって下方傾斜状に並設された請求項４記載のジュウタンマット洗浄機。
【請求項６】
上記上下引き込みローラ（３）（４）の上流側位置に配設された開閉扉（11）と、上記拭き取り用吸水ローラ（７）に洗浄水を吸水させる水槽（12）と、該水槽（12）に該洗浄水を供給させるバルブ（13）付き給水管（14）と、該拭き取り用吸水ローラ（７）を押圧して過分な該洗浄水を取り去る絞りローラ（15）と、ローラ回転駆動用モータ（16）と、を備え、さらに、該開閉扉（11）に連結され該開閉扉（11）を開くと上記バルブ（13）を閉状態から開状態にさせる第１連結部材（17）と、該開閉扉（11）に連結され該開閉扉（11）を開くと上記絞りローラ（15）を上記拭き取り用吸水ローラ（７）に押圧させる第２連結部材（18）と、該開閉扉（11）を開くと上記モータ（16）を駆動させる作動用リミットスイッチ（19）と、を備える請求項４又は５記載のジュウタンマット洗浄機。
【請求項７】
上記下清掃回転体（６）の下方位置に塵受け皿部材（20）が配設され、上記ジュウタンマット（Ｍ）が正規ルートから離脱し該塵受け皿部材（20）に当接して該塵受け皿部材（20）が位置変化すると該位置変化を検知して上記モータ（16）を緊急停止させる非常用リミットスイッチ（21）を備える請求項６記載のジュウタンマット洗浄機。
【発明の詳細な説明】
【技術分野】
【０００１】
本発明は、ジュウタンマット洗浄機に関するものである。
【背景技術】
【０００２】
ジュウタンマットを洗浄する洗浄機において従来知られるものに、ジュウタンマットの進行方向に、ジュウタンマットを挟んで回転する上下一対の打撃棒回転体と、ジュウタンマットを挟んで回転する上下一対の回転ブラシと、が並設されたものがある（例えば、特許文献１参照）。
さらに、この洗浄機は、ジュウタンマットの引き込み用のローラや、洗浄のためのその他ローラが配設されている。
【０００３】
従って、従来の洗浄機は、ローラを回転させるプーリや回転軸用の軸受等の部品の点数が多くなり、構成が複雑で、洗浄機が大型化するという欠点があった。
また、ジュウタンマットの端部からはみ出る糸状の異物（ほつれ部）を回転ブラシが巻き込み、回転ブラシによりマットが引き込まれ、さらに、マットが洗浄機内に詰まっても直ぐに運転の停止ができないため、マットが強く巻き込まれ、破損するというトラブルが多発している。
【特許文献１】特開２００３−１９０８９７号公報
【発明の開示】
【発明が解決しようとする課題】
【０００４】
解決しようとする課題は、洗浄機をコンパクトにできない点である。部品点数が多く、構造が複雑となる点である。また、誤動作した際の安全対策が不十分な点である。
【課題を解決するための手段】
【０００５】
本発明に係るジュウタンマット洗浄機は、軸心廻りに回転する軸部材に取着されジュウタンマットに当接するブラシと、該ブラシが取着された軸部材と同一の該軸部材に該軸部材と平行となるよう配設され該ジュウタンマットに当接する打撃棒と、を有するものである。
また、上記打撃棒は、上記ブラシよりも３０°〜５５°の角度だけ回転方向後方側位置に配設されている。
【０００６】
または、軸心廻りに回転する軸部材に取着されジュウタンマットに当接するブラシと、該ブラシが取着された軸部材と同一の該軸部材に該ブラシよりも所定角度だけ回転方向後方側位置に配設され該ジュウタンマットの不要糸が該ブラシの基端部側へ巻き込まれるのを防止する帯板状の糸巻込防止部材と、を有するものである。
【０００７】
また、植毛側を下面としたジュウタンマットを引き込む上下引き込みローラと、該ジュウタンマットの上下面に当接する上下清掃回転体と、該ジュウタンマットの下面に当接する拭き取り用吸水ローラと、を備え、上記上下清掃回転体のうちの少なくとも下清掃回転体が、軸心廻りに回転する軸部材と、該軸部材に取着されたブラシと、該ブラシが取着された軸部材と同一の該軸部材に該軸部材と平行となるよう配設された打撃棒と、を有するものである。
また、上記上下引き込みローラと、上記上下清掃回転体と、上記拭き取り用吸水ローラとは、上記ジュウタンマットの入口部から出口部に向かって下方傾斜状に並設されたものである。
【０００８】
また、上記上下引き込みローラの上流側位置に配設された開閉扉と、上記拭き取り用吸水ローラに洗浄水を吸水させる水槽と、該水槽に該洗浄水を供給させるバルブ付き給水管と、該拭き取り用吸水ローラを押圧して過分な該洗浄水を取り去る絞りローラと、ローラ回転駆動用モータと、を備え、さらに、該開閉扉に連結され該開閉扉を開くと上記バルブを閉状態から開状態にさせる第１連結部材と、該開閉扉に連結され該開閉扉を開くと上記絞りローラを上記拭き取り用吸水ローラに押圧させる第２連結部材と、該開閉扉を開くと上記モータを駆動させる作動用リミットスイッチと、を備えるものである。
また、上記下清掃回転体の下方位置に塵受け皿部材が配設され、上記ジュウタンマットが正規ルートから離脱し該塵受け皿部材に当接して該塵受け皿部材が位置変化すると該位置変化を検知して上記モータを緊急停止させる非常用リミットスイッチを備える。
【発明の効果】
【０００９】
本発明のジュウタンマット洗浄機は、回転するブラシと打撃棒とが同一軸部材に配設されているため、洗浄機をコンパクトにでき、また、回転軸や軸受等の部品の省略化が可能となり、構成が簡素化される。
また、打撃棒はブラシよりも所定角度だけ回転方向後方に配設されるため、ジュウタンマットから塵や埃等の異物をブラシにて掃き出し、その後、打撃棒にて打撃する作業が連続して行われ、効率良く異物を除去することができる。
また、誤動作の際に緊急停止させることができ、ジュウタンマットが洗浄機内に詰まってマットを破損させることがなく、安全である。
【発明を実施するための最良の形態】
【００１０】
図１は、本発明のジュウタンマット洗浄機の実施の一形態を示す断面正面図であり、図２は、ジュウタンマット洗浄機の断面左側面図である。この洗浄機は、上部がジュウタンマットＭの洗浄を行う洗浄作業部Ａであり、下部が洗浄作業部Ａを載置固定させる基台部Ｂである。
【００１１】
そして、この洗浄機にて洗浄を行うジュウタンマットＭは、例えば、一面側（使用状態で上面）が植毛面とされたものがあり、植毛側が下面に向けられて洗浄作業部Ａの手前上部の入口部９からジュウタンマットＭが入れられ、内部にて洗浄が行われ、後方下部の出口部10から出てくる。
【００１２】
洗浄機は、洗浄作業部Ａにおいて、入口部９側から出口部10側に向かって、植毛側を下面としたジュウタンマットＭを引き込む上下引き込みローラ３，４と、ジュウタンマットＭの上下面に当接する上下清掃回転体５，６と、ジュウタンマットＭの下面に当接する拭き取り用吸水ローラ７と、を備え、さらに、吸水ローラ７とによりジュウタンマットＭを挟む吸水ローラ７に平行な押さえローラ８を備えている。
【００１３】
さらに、上下引き込みローラ３，４と、上下清掃回転体５，６と、拭き取り用吸水ローラ７とは、ジュウタンマットＭの入口部９（上流側）から出口部10（下流側）に向かって下方傾斜状に並設されている。また、ジュウタンマットＭが斜め下方へ向かって直線的に進むよう、これらローラは配置されており、ジュウタンマットＭをスムーズに進行させることができる。
つまり、上下引き込みローラ３，４と、上下清掃回転体５，６と、拭き取り用吸水ローラ７は、水平に対して３０°〜６０°の勾配線に沿って並設されている。
【００１４】
上下引き込みローラ３，４は、入口部９から投入されたジュウタンマットＭを上下から挟んで引き込み、下流側へ送り出すよう構成されたものであり、引き込みローラ３，４のうちの少なくとも一方を、ジュウタンマットＭを下流側へ送る方向に回転駆動させている。図２では、下引き込みローラ４のみをモータ16により回転駆動させている。
また、下引き込みローラ４の軸心は固定状とされ、上引き込みローラ３の軸心はフリー（下引き込みローラ４方向へ移動自在）とされ、上引き込みローラ３を弾発部材（圧縮バネ等）24にて下引き込みローラ４に向かって弾発付勢させている。これにより、ジュウタンマットＭを滑らすことなく確実に下流側へ送ることができる。
【００１５】
上下清掃回転体５，６について説明すると、上下清掃回転体５，６のうちの少なくとも下清掃回転体６は、軸心Ｌ廻りに回転する軸部材22と、軸部材22に取着されたブラシ１と、ブラシ１が取着された軸部材22と同一の軸部材22に軸部材22と平行となるよう配設された打撃棒２と、を有している。つまりブラシ１と打撃棒２との回転軸心は一致している。  図３（ａ）は、上下清掃回転体５，６の概略構成図であり、図２と図３（ａ）では、下清掃回転体６の軸部材22に、ブラシ１と打撃棒２とを設けており、上清掃回転体５には、（ブラシ１を省略して）打撃棒２を設けている。
【００１６】
ここで、図３（ａ）において、下清掃回転体６の軸心をＬ1 とし、軸部材を22ａとし、ブラシを１ａとし、打撃棒を２ａとし、また、上清掃回転体５の軸心をＬ2 とし、軸部材を22ｂとし、打撃棒を２ｂとしている。また、上下清掃回転体５，６の軸心Ｌ2 ，Ｌ1 は平行とされている。
【００１７】
上清掃回転体５において、軸部材22ｂはモータ16（図２参照）により軸心Ｌ2 廻りに回転駆動し、打撃棒２ｂは軸部材22ｂに平行でかつ軸部材22ｂに１８０°離れて一対設けられている。
また、下清掃回転体６において、軸部材22ａはモータ16により軸心Ｌ1 廻りに回転駆動し、ブラシ１ａは軸部材22ａに１８０°離れて一対設けられ、打撃棒２ａは、ブラシ１ａと所定角度θだけ遅れる回転位相差を持って、軸部材22ａに平行でかつ軸部材22ａに１８０°離れて一対設けられている。
【００１８】
打撃棒２は軸部材22の両端部に設けた取付プレート（図示省略）間に軸部材22に平行となるよう取着される。なお、打撃棒２は、２本以外にも、図示省略するが、１本又は３本以上であってもよい。
また、ブラシ１は、図３（ａ）に示すように軸心Ｌから放射状となるよう、軸部材22の外周面の一部（１乃至複数箇所）に取り付けられており、図１に示すように、軸部材22の軸方向に連続して取り付けられている。また、打撃棒２の長さ及びブラシ１の軸方向取付部長さは、ジュウタンマットＭの幅方向寸法より大きい寸法とされている。
【００１９】
さらに、図３（ａ）に示すように、打撃棒２は、ブラシ１よりも所定角度θだけ回転方向Ｒ後方側位置に配設されており、所定角度θが３０°〜５５°に設定されている。特に好ましくは、４０°〜５０°とすればよい。つまり、ブラシ１がジュウタンマットＭに当接してから直ぐに打撃棒２が当接することとなり、この動作が連続することとなる。
上記所定角度θが下限値未満であると、ブラシ１と打撃棒２とが接近しすぎて打撃棒２によるジュウタンマットＭへの当接が不十分となり、叩き出し作用が低下してしまう。また、所定角度θが上限値を越えると、ジュウタンマットＭを挟んで反対側の打撃棒２との当接タイミングが悪くなり、ブラシ１による掃き出し作用が低下してしまう。
【００２０】
このように、本発明のジュウタンマット洗浄機は、軸心Ｌ廻りに回転する軸部材22に取着されジュウタンマットＭに当接するブラシ１と、ブラシ１が取着された軸部材22と同一の軸部材22に軸部材22と平行となるよう取着されジュウタンマットＭに当接する打撃棒２と、を有しており、打撃棒２は、ブラシ１よりも所定角度θだけ回転方向Ｒ後方側位置に配設されている。従って、ジュウタンマットＭ（の下面側）を、ブラシ１にて掃き出し、打撃棒２にて打撃して異物（粉塵）を叩き出す作業が連続して行われ、効率良く粉塵を除去することができ、かつ、上面側においても、異物を確実に叩いて除去することができる。
【００２１】
さらに、下清掃回転体６の打撃棒２ａと上清掃回転体５の打撃棒２ｂとが、ジュウタンマットＭに交互に衝突するよう、上下清掃回転体５，６の回転位相を相違させ配設している。つまり、図３（ａ）では、９０°の回転位相差を持って上下清掃回転体５，６の打撃棒２ｂ，２ａがジュウタンマットＭに当接する。
【００２２】
また、図３（ａ）に示すように、ブラシ１の外周端点23の（一点鎖線で示した）回転軌跡は、打撃棒２の最外周端点25の回転軌跡よりも外方となるよう配置されている。ブラシ１の外周端点23の回転軌跡の半径は、打撃棒２の最外周端点25の回転軌跡の半径より５mm〜１０mm小さく設定されている。これにより、ブラシ１による掃き出しがより一層効果的に行われる。
【００２３】
次に、図３（ｂ）は、上下清掃回転体５，６の他の実施の形態を示す概略構成図であり、この上下清掃回転体５，６を有する洗浄機は、軸心Ｌ廻りに回転する軸部材22に取着されジュウタンマットＭに当接するブラシ１と、ブラシ１が取着された軸部材22と同一の軸部材22にブラシ１よりも所定角度θ′だけ回転方向Ｒ後方側位置に突出状に配設された帯板状の糸巻込防止部材44と、を有する。
【００２４】
糸巻込防止部材44は、ジュウタンマットＭの不要糸───マットＭからほつれ出る糸───が、ブラシ１の基端部45側へ巻き込まれるのを防止するガード片部材である。
糸巻込防止部材44は、軸部材22から径方向外方へ突出しており、軸部材22の長手方向に連続する部材である。つまり、ブラシ１の長手方向に沿ってブラシ１の回転方向Ｒ後方側位置に配設されていると言える。また、上記所定角度θ′は、２５°〜４５°と設定され、図３（ｂ）では、３５°としている。
【００２５】
さらに、糸巻込防止部材44は、ブラシ１よりも径方向寸法が小さく設定されており、糸巻込防止部材44の先端部がブラシ１の中間部に対応する半径とされている。これにより、不要糸がブラシ１の基端部45に巻きつこうとしても、糸巻込防止部材44の先端部が不要糸に当接し、周方向外方へ不要糸を排除できる。つまり、回転する糸巻込防止部材44により、ブラシ１に不要糸が食い込む前に不要糸を外方へはじき出すことができる。
ジュウタンマットＭの端縁等からはみ出る不要糸が、ブラシ１の毛が密集した根元に巻きつけられてブラシ１の毛の間に挟み込まれ、マットＭ本体がその巻き込みにより引き込まれることを、糸巻込防止部材44は防止している。
【００２６】
また、図３（ｂ）の糸巻込防止部材44は、先端（折り曲げ点）が小さなアール状となるよう板材を鋭角に折り曲げ形成し帯板状とされたものであるが、これに限らず、厚さの大きい１枚板により形成してもよい。
また、図３（ｂ）では、ブラシ１が、１つの軸部材22において１８０°離れて一対配設されており、糸巻込防止部材44も、それに対応して１８０°離れて一対配設されている。
【００２７】
そして、糸巻込防止部材44，44の先端部と軸部材22の外周端点とを通る軸心Ｌ廻りの菱形となる１周長は───図３（ｂ）の上清掃回転体５において一点鎖線で示す線長は───、１２〜１８cmとなるよう設定されており、約１０cm程度の不要糸が一周巻きつくことを防止している。
また、図３（ｂ）では、特に剛性が高い毛にてブラシ１を構成し、ブラシ１をジュウタンマットＭに叩きつけながら掃き出すようにしている。なお、ブラシ１の剛性を高くすると、不要糸がブラシ１へ食い込んだ際に抜けにくくなるが、回転する糸巻込防止部材44により、ブラシ１に不要糸が深く食い込む前に外方へはじき出すことができ、ジュウタンマットＭを巻き込むというトラブルを防げる。
【００２８】
また、糸巻込防止部材44の先端部は、ジュウタンマットＭに当接させなくてもよいが、糸巻込防止部材44の径方向長さを大きくしてジュウタンマットＭに当接させてもよい。この場合、糸巻込防止部材44が図３（ａ）に示した打撃棒２の作用を有する。
【００２９】
なお、図３（ｂ）において、図３（ａ）の打撃棒２を省略し糸巻込防止部材44を設けた以外は、図３（ａ）に示す同一符号のものは同様の構成であり、説明を省略する。
つまり、上下清掃回転体５，６のうちの少なくとも下清掃回転体６に、軸部材22と、ブラシ１と、糸巻込防止部材44と、を設ければよく、また、９０°の回転位相差を持って上下清掃回転体５，６のブラシ１ｂ，１ａがジュウタンマットＭに当接するようにしてもよい。
【００３０】
次に、図２により拭き取り用吸水ローラ７と、押さえローラ８について説明すると、拭き取り用吸水ローラ７は例えばスポンジローラとされている。そして、上下清掃回転体５，６を通過したジュウタンマットＭの植毛面に、モータ16にて回転駆動し後述する水槽（タンク）12に溜めた洗浄液にて湿らせた吸水ローラ７を当接させ、植毛面に付着する埃等の異物を除去させるものである。
【００３１】
また、吸水ローラ７の軸心は固定状とされ、押さえローラ８の軸心はフリー（吸水ローラ７方向へ移動自在）とされ、押さえローラ８を弾発部材（圧縮バネ等）27にて吸水ローラ７に向かって弾発付勢させている。これにより、ジュウタンマットＭを滑らすことなく確実に送り出すことができ、かつ、吸水ローラ７をジュウタンマットＭの植毛面にしっかりと押圧させることができる。
【００３２】
さらに、本発明のジュウタンマット洗浄機は、図２と図４に示すように、上下引き込みローラ３，４の上流側位置に配設された開閉扉11と、拭き取り用吸水ローラ７に洗浄水を吸水させる水槽12と、水槽12に洗浄水を供給させるバルブ13付き給水管14と、拭き取り用吸水ローラ７を押圧して過分な洗浄水を取り去る絞りローラ15と、ローラ回転駆動用モータ16と、を備える。
【００３３】
開閉扉11は、洗浄作業部Ａの手前上部の入口部９を施蓋するよう設けられ、開閉扉11の奥部が揺動中心とされて開閉するものであり、上記ローラ等を包囲するケーシング26と連続するよう設けられ、閉状態では、雨水の内部への浸入がないよう構成されている。これにより、本発明の乾式の洗浄機において、ローラやブラシ等に水滴が付着し、その水分がジュウタンマットＭに付着して、乾燥したマットＭを濡らすことを防止できる。
【００３４】
水槽12は、吸水ローラ７及び絞りローラ15の下方位置に設けられ、水槽12に供給され溜められた洗浄水に吸水ローラ７の下部が没するよう配置される。また、水槽12には、ドレン管28が設けられ、洗浄機の非使用状態で洗浄水を外部へ排出させ、冬季において洗浄機内の洗浄水の凍結を防ぎ、また、常にきれいな洗浄水にて作業できる。なお、洗浄水は、水（水道水）でもよい。
【００３５】
そして、給水管14は、途中部に止水用のバルブ13が接続され、図外の洗浄水供給源から水槽12へ洗浄水を送るものであり、図１に示すように、洗浄作業部Ａの左側端空間部29に配置されている。バルブ13は、バルブレバー30の動作により開閉できる。
【００３６】
絞りローラ（脱水ローラ）15は、吸水ローラ７の近傍位置に吸水ローラ７に平行となるよう配設され、絞りローラ15の軸心はフリー（吸水ローラ７方向へ移動自在）とされている。そして、絞りローラ15が吸水ローラ７の外周面を押圧し、吸水ローラ７の過剰な洗浄水を絞り取っている。
【００３７】
さらに、本発明の洗浄機は、図４に示すように、開閉扉11に連結され開閉扉11を開くとバルブ13を閉状態から開状態にさせる第１連結部材17を備える。第１連結部材17は、開閉扉11の内側において一端部が枢着される第１レバー部材32を有し、第１レバー部材32の他端部がバルブレバー30の端部に枢着されている。
そして、開閉扉11が閉状態ではバルブ13は閉状態であり、洗浄水の供給を停止させ不要に水槽12へ洗浄水を供給させない。そして、開閉扉11が開状態となると、第１連結部材17（レバー部材）を介してバルブ13が開状態となり、洗浄液を水槽12へ供給する。
【００３８】
また、洗浄機は、開閉扉11に連結され開閉扉11を開くと絞りローラ15を拭き取り用吸水ローラ７に押圧させる第２連結部材18を備える。第２連結部材18は、開閉扉11の内側において一端部が枢着される略Ｌ字形の第２レバー部材33と、第２レバー部材33の他端部と弾発連結部材31を介して連結される第３レバー部材34と、を有し、端部を中心として揺動可能な第３レバー部材34に絞りローラ15が連結乃至固定されている。
【００３９】
そして、開閉扉11が閉状態では絞りローラ15は、吸水ローラ７から離間状態であり、開閉扉11を開状態とすると、第２レバー部材33と第３レバー部材34とが持ち上げられて、第３レバー部材34が絞りローラ15を吸水ローラ７側へ押圧する。なお、弾発連結部材31により、絞りローラ15の吸水ローラ７への押圧力は略一定とされ、絞りすぎを防ぐことができる。
【００４０】
また、本発明の洗浄機は、開閉扉11を開くとモータ16を駆動させる作動用リミットスイッチ19を備える。作動用リミットスイッチ19は、開閉扉11の閉状態で開閉扉11と非接触状態であるが、開状態とすることで開閉扉11と接触状態となるようケーシング26の内部に設けられており、開閉扉11の開状態で作動用リミットスイッチ19により図外の電気制御部においてモータ16を始動させている。
【００４１】
モータ16は、ケーシング26の内部に設けれられており、１台のモータ16が、回転動力伝達手段35により、下引き込みローラ４と、上下清掃回転体５，６と、拭き取り用吸水ローラ７と、をジュウタンマットＭを下流側へ移送させる方向へ回転させている。
図５が回転動力伝達手段35を説明する断面側面図であり、回転動力伝達手段35は、図１の洗浄作業部Ａの右側端空間部43に設けられ、回転動力伝達手段35は、例えば複数のプーリと複数のベルトや、複数のチェーンと複数のスプロケット等により構成されている。
【００４２】
図５について説明すると、モータ16が矢印ａ方向に回転駆動すると、下清掃回転体６と同軸状に固定された大プーリ６ａを第１ベルト36にて矢印ｂ方向に回転させ、大プーリ６ａと同軸状に固定された小プーリ６ｂの回転（矢印ｃ）により、第２ベルト37にて上清掃回転体５に同軸状に固定された上プーリ５ａを矢印ｄ方向に回転させる。
さらに、第２ベルト37は補助大プーリ40ａに懸けられており補助大プーリ40ａは矢印ｅ方向に回転する。
なお、下清掃回転体６用の小プーリ６ｂと、上清掃回転体５用の上プーリ５ａとは、同径であり、等速でかつ両者ともジュウタンマットＭを下流方向へ送る方向へ回転する。
【００４３】
そして、補助大プーリ40ａに同軸状に固定された補助小プーリ40ｂが回転し、第３ベルト38にて下引き込みローラ４に同軸状に固定された大プーリ４ａが矢印ｆ方向に回転し、大プーリ４ａに同軸状に固定された小プーリ４ｂを回転させる。さらに、小プーリ４ｂに懸けられた第４ベルト39にて吸水ローラ７に同軸状に固定されたプーリ７ａを矢印ｇ方向に回転する。
【００４４】
なお、図５から明らかなように、モータ16の回転数に対して上下清掃回転体５，６は減速されており、下引き込みローラ４はさらに減速されており、上下清掃回転体５，６は下引き込みローラ４よりも高速にて回転する。つまり、上下清掃回転体５，６は、ジュウタンマットＭの送り速度よりも早い周速度にて回転しながらジュウタンマットＭに当接し清掃を行う。
【００４５】
また、本発明の洗浄機は、図２に示すように、下清掃回転体６の下方位置に塵受け皿部材20が配設されている。図６は、塵受け皿部材20の断面正面図であり、塵受け皿部材20は、左右一対のレール部材41，41に対して出し入れ自在でかつ、水平軸心42にて揺動可能とされ、保持されている。レール部材41，41は、ケーシング26（図２）の側部に固定されている。
【００４６】
さらに、この洗浄機は、モータ16を緊急停止させる非常用リミットスイッチ21を備えている。
図７は、ジュウタンマットＭが正規ルートを通過する正常運転状態にある塵受け皿部材の断面側面図であり、図８と図９がジュウタンマットＭが正規ルートから離脱し、非常用リミットスイッチ21が作動する状態を示す図である。
【００４７】
ジュウタンマットＭが正規ルートから離脱して、ジュウタンマットＭが塵受け皿部材20に当接すると塵受け皿部材20が位置変化し、非常用リミットスイッチ21がその位置変化を検知してモータ16を、図外の電気制御部にて電気的に遮断し、緊急停止させる。
また、塵受け皿部材20は、その中間部において、レール部材41，41に揺動可能に保持されている。
従って、ジュウタンマットＭが、図８のように塵受け皿部材20の下方位置から当接しても、または、図９のように上方位置から当接しても、塵受け皿部材20は上下方向どちらにも揺動でき、迅速にモータ16を停止させ、ジュウタンマットＭの巻き込み、詰まりを防止できる。
【００４８】
以上のように、本発明によれば、軸心Ｌ廻りに回転する軸部材22に取着されジュウタンマットＭに当接するブラシ１と、ブラシ１が取着された軸部材22と同一の軸部材22に軸部材22と平行となるよう配設されジュウタンマットＭに当接する打撃棒２と、を有するため、ブラシ１による掃き出し効果と、打撃棒２による叩き出し効果により、塵や埃等の異物を確実に除去することができる。
また、回転するブラシ１と打撃棒２とが同一軸部材22に配設されており、回転軸や軸受等の部品の省略化が可能となり、構成が簡素化される。従って、洗浄機全体をコンパクトにできる。特に、奥行き方向の寸法が小さくなる。
【００４９】
また、打撃棒２は、ブラシ１よりも３０°〜５５°の角度θだけ回転方向Ｒ後方側位置に配設されているため、ジュウタンマットから異物をブラシにて掃き出し、打撃棒２にて打撃する作業が連続して行われ、効率良く塵や埃等の異物を除去することができる。さらに、ブラシ１がジュウタンマットＭに当接してから直ぐに打撃棒２が当接することとなり、この動作が連続し効率良く異物を除去することができる。
【００５０】
また、軸心Ｌ廻りに回転する軸部材22に取着されジュウタンマットＭに当接するブラシ１と、ブラシ１が取着された軸部材22と同一の軸部材22にブラシ１よりも所定角度θ′だけ回転方向Ｒ後方側位置に配設されジュウタンマットＭの不要糸がブラシ１の基端部45側へ巻き込まれるのを防止する帯板状の糸巻込防止部材44と、を有するため、ブラシ１による掃き出し効果により塵や埃等の異物を確実に除去することができる。
さらに、ジュウタンマットＭからはみ出る（ほつれた）不要糸がブラシ１の基端部45へ巻き込まれないため、マットＭ全体の巻き込みのトラブルを回避できる。従って、ジュウタンマットＭはもちろん洗浄機の破損を防止できる。
【００５１】
また、植毛側を下面としたジュウタンマットＭを引き込む上下引き込みローラ３，４と、ジュウタンマットＭの上下面に当接する上下清掃回転体５，６と、ジュウタンマットＭの下面に当接する拭き取り用吸水ローラ７と、を備え、上下清掃回転体５，６のうちの少なくとも下清掃回転体６が、軸心Ｌ廻りに回転する軸部材22と、軸部材22に取着されたブラシ１と、ブラシ１が取着された軸部材22と同一の軸部材22に軸部材22と平行となるよう配設された打撃棒２と、を有するため、ジュウタンマットＭを安定して走行させるながら洗浄できる。ブラシ１による掃き出し効果と、打撃棒２による叩き出し効果により、異物を確実に除去するとができる。
【００５２】
また、上下引き込みローラ３，４と、上下清掃回転体５，６と、拭き取り用吸水ローラ７とは、ジュウタンマットＭの入口部９から出口部10に向かって下方傾斜状に並設されているため、隣り合うローラの一部を高さ方向にラップさせて配置できるため、洗浄機全体をコンパクトにできる。特に、奥行き方向の寸法が小さくなる。
また、ジュウタンマットＭを斜め下方へ進ませることにより、引き込みローラ３，４による引き込み送り出し力以外に、ジュウタンマットＭの自重により、ジュウタンマットＭを出口部10方向へ自然に進ませることができ、引き込みローラ３，４を通過した後のジュウタンマットＭの先頭縁部がスムーズに進行することができる。
【００５３】
また、上下引き込みローラ３，４の上流側位置に配設された開閉扉11と、拭き取り用吸水ローラ７に洗浄水を吸水させる水槽12と、水槽12に洗浄水を供給させるバルブ13付き給水管14と、拭き取り用吸水ローラ７を押圧して過分な洗浄水を取り去る絞りローラ15と、ローラ回転駆動用モータ16と、を備え、さらに、開閉扉11に連結され開閉扉11を開くとバルブ13を閉状態から開状態にさせる第１連結部材17と、開閉扉11に連結され開閉扉11を開くと絞りローラ15を拭き取り用吸水ローラ７に押圧させる第２連結部材18と、開閉扉11を開くとモータ16を駆動させる作動用リミットスイッチ19と、を備えるため、洗浄機を使用する際にのみ動作状態とさせることができる。
【００５４】
つまり、非使用時は、洗浄水を停止させ、吸水ローラ７に負荷を与えず、モータ16を動作させない。特に、冬季において洗浄機内において洗浄水の凍結を防ぐことができ、凍結により洗浄機を故障させることがない。
また、絞りローラ15により、拭き取り用吸水ローラ７を適度な低含水率として、過分な水分をジュウタンマットＭに付着させることがない。
【００５５】
また、下清掃回転体６の下方位置に塵受け皿部材20が配設され、ジュウタンマットＭが正規ルートから離脱し塵受け皿部材20に当接して塵受け皿部材20が位置変化すると位置変化を検知してモータ16を緊急停止させる非常用リミットスイッチ21を備えるため、誤動作の際に運転を緊急停止させることができ、ジュウタンマットＭが洗浄機内に詰まり、マットＭを破損させることがなく、安全である。
【図面の簡単な説明】
【００５６】
【図１】本発明のジュウタンマット洗浄機の実施の一形態を示す断面正面図である。
【図２】ジュウタンマット洗浄機の断面左側面図である。
【図３】上下清掃回転体の概略説明図である。
【図４】ジュウタンマット洗浄機の要部を示す断面左側面図である。
【図５】回転動力伝達手段を説明する断面右側面図である。
【図６】塵受け皿部材の断面正面図である
【図７】通常運転状態にある塵受け皿部材の断面側面図である。
【図８】非常用リミットスイッチが作動した状態を示す塵受け皿部材の断面側面図である。
【図９】非常用リミットスイッチが作動した状態を示す塵受け皿部材の断面側面図である。
【符号の説明】
【００５７】
１  ブラシ
２  打撃棒
３  上引き込みローラ
４  下引き込みローラ
５  上清掃回転体
６  下清掃回転体
７  拭き取り用吸水ローラ
９  入口部
10  出口部
11  開閉扉
12  水槽
13  バルブ
14  給水管
15  絞りローラ
16  モータ
17  第１連結部材
18  第２連結部材
19  作動用リミットスイッチ
20  塵受け皿部材
21  非常用リミットスイッチ
22  軸部材
44  糸巻込防止部材
45  基端部
Ｌ  軸心
Ｍ  ジュウタンマット
Ｒ  回転方向
θ  角度
θ′  角度
【図１】
2005125284.tif 000003
【図２】
2005125284.tif 000004
【図３】
2005125284.tif 000005
【図４】
2005125284.tif 000006
【図５】
2005125284.tif 000007
【図６】
2005125284.tif 000008
【図７】
2005125284.tif 000009
【図８】
2005125284.tif 000010
【図９】
2005125284.tif 000011